Podtech/llm-jp-corpus-v4-ja_patent huggingface dataset:
(57)【要約】      （修正有）【課題】飲食する時は外し、会話する際に、瞬時に装着ができる衛生マスクを提供する。【解決手段】衛生マスクは透明なシートからなり、シートのほぼ口の両端部に対応する部分に上から下まで向かう折り曲げ部を設け、左右の折り曲げられたシートを連結する連結部２を設け、左右の折り曲げられたシートが顔の頬に当接しマスク全体を保持する。さらに左右の折り曲げられたシートのそれぞれの端部に衛生マスク全体を首から下げる首掛けひもを通す穴部４を設ける。【選択図】図１
0003232802.tif 000002
【実用新案登録請求の範囲】
【請求項１】
着用者の鼻及び口を覆う衛生マスクであって、透明な樹脂製シートからなり、前記シートのほぼ口の両端部分に対応する部分に上から下まで向かう折り曲げ部を設け、左右の折り曲げられたシート部分を連結する連結部を設け、前記左右の折り曲げられたシートが顔の頬に当接しマスク全体を保持することを特徴とする衛生マスク。
【請求項２】
左右の折り曲げられたシートのそれぞれの端部に衛生マスク本体を首から下げる首かけ紐を通す穴部を設けた事を特徴とする請求項１記載の衛生マスク。
【考案の詳細な説明】
【技術分野】
【０００１】  本考案は飲食の際マスクを外すが、会話する時に瞬時に装着できる事で飛沫が遠くに飛ばないための透明の衛生マスクに関するものである。
【背景技術】
【０００２】  世界的に問題になっている新型コロナウィルスの感染拡大防止の一環として、マスクの使用は必須となっている。飲食する時はマスクを外すため会話する際に、瞬時にマスクの装着ができることで、会話の際に役立つものである。
【考案の概要】
【考案が解決しようとする課題】
【０００３】  食事やお酒を飲みながらの会話は、人とのコミュニケーションや、日常生活の中で必要不可欠なものである。新型コロナウィルス感染拡大防止の為に、会話を控えないといけないという気持ちから心が病んでしまう人も増えている。【０００４】  従来の布製マスクや不織布マスクは表情が見えない。また耳から掛ける構造は付けはずしに手間がかかる。新型コロナウィルス感染拡大防止のため、マスクの使用は必須である昨今であるが、飲食の際にはマスクを外すため、会話を控えなければならない。【０００５】新型コロナウィルス感染拡大防止のため、上記のような状況が続き人々は疲弊している。人とのコミュニケーションをとることがストレスの緩和につながる事にもなる。会話を慎むことによりストレスを感じるという問題がある。【０００６】  上記のような現状があるため、飲食店利用が減少し飲食業界の経営難に陥っている問題がある。経済を発展させるために、少しでも安心できるものが必要である。
【課題を解決するための手段】
【０００７】  上記課題を解決するために本考案は透明なシートからなり、前記シートのほぼ口の両端部に対応する部分に上から下まで向かう折り曲げ部を設け、左右の折り曲げられたシートを連結する連結部を設け、前記左右の折り曲げられたシートが顔の頬に当接しマスク全体を保持する衛生マスクを提供するものである。さらに左右の折り曲げられたシートのそれぞれの端部に衛生マスク全体を首から下げる首掛けひもを通す穴部を設けるものである。
飲食時の会話を、安心した気持ちでしてもらうために、本願考案の衛生マスクは透明にして表情が見えるようにして、簡単に鼻と口を負う構成とした。
【考案の効果】
【０００８】  飲食時の会話で、表情が見える事は人とコミュニケーションをとりやすく、食べている時にはマスクを外しているが、話をする時には瞬時に付けられるので、ストレスの緩和となり飲食時の会話を楽しめると考える。
【図面の簡単な説明】
【０００９】
【図１】本考案の衛生マスクの一実例を示す正面図である。
【図２】本考案の衛生マスクの部品展開図である。
【図３】本考案の使用説明図である。
【図４】本考案の穴部の使用説明図である。
【考案を実施するための形態】
【００１０】  以下本考案の図面を使用して説明する。図は本考案の衛生マスクの一実施例を示す正面図である。１はマスク本体、２は連結部である。４は首掛けひもを通す穴部である。紐がついており首から掛けられるため手が届きやすく、瞬時に装着することができる。図２は本考案の衛生マスクの部品展開図である。３は折り曲げ部である。図３は本考案の使用説明図である。図４は紺考案の首掛けひもを通す穴部の使用説明図である。
【００１１】  上記課題を解決するために本考案は透明なシートからなるマスク本体１と、前記シートのほぼ口の両端部に対応する部分に上から下まで向かう折り曲げ部３を設け、左右の折り曲げられたシートを連結する連結部２を設け、前記左右の折り曲げられたシートが顔の頬に当該しマスク全体を保持する衛生マスクを提供するものである。さらに左右に折り曲げられたシートのそれぞれの端部に衛生マスク全体を首から下げる首掛けひもを通す穴部４を設けるものである。
【００１２】  上記構成により本考案の衛生マスクは簡単につけはずしが出来る。また使用時が快適である。さらに首掛けひもを通す事により衛生マスクがはずれた時も近くにあるのでもとに戻すことが簡単である。
左右の折り曲げたシート部が顔の頬にあたり、マスク全体を保持する。
【００１３】  食事やお酒を飲みながらの会話は、人とのコミュニケーションや、日常生活の中で必要不可欠なものである。新型コロナウィルス感染拡大防止の為に、会話を控えないといけないという気持ちから心が病んでしまう人も増えている。
飲食時の会話を、安心した気持ちでしてもらうために、本願考案は透明にして表情が見えるようにして、簡単に鼻と口を負う構成とした。
従来の布製マスクや不織布マスクは表情が見えない。また耳から掛ける構造は付けはずしに手間がかかる。新型コロナウィルス感染拡大防止のため、マスクの使用は必須である昨今であるが、飲食の際にはマスクを外すため、会話を控えなければならない。
新型コロナウィルスの感染拡大防止の影響で、営業自粛になった飲食店は、経営難に陥っている。感染防止対策をしているステッカーが店の入り口などに張られているが、客側が感染対策拡大防止の意識を高く持つことが必要となる。
本発明は客側が、感染対策防止を意識しているというマークを付けて本発明を使用することで、外食を楽しむことができ、経済の発展につながる物である。
【符号の説明】
【００１４】  １  マスク本体
２  連結部
３  折り曲げ部
４  穴部
【図１】
0003232802.tif 000003
【図２】
0003232802.tif 000004
【図３】
0003232802.tif 000005
【図４】
0003232802.tif 000006
(57)【要約】      （修正有）【課題】フラワーアレンジメントに小物入れとしての機能をもたせて花が枯れた後も長く楽しめて実用的なプレゼントボックスを提供する。【解決手段】フラワーアレンジメントを鉢花の受け皿のような高さ２ｃｍから３ｃｍの容器に作成しそれを中が空洞な容器２の上にセットしてフラワーアレンジ１自体を容器の蓋としてデザインし、下の空洞の容器を小物入れとして活用することにより花を単なる飾りとしてだけでなく小物入れとしての実用性をもたせたことを特徴とするお花のいろいろプレゼントボックス。【選択図】図２
0003232859.tif 000002
【実用新案登録請求の範囲】
【請求項１】
フラワーアレンジメントを従来より薄型の容器に作成しそれを中が空洞なきれいな容器（深めのかごなど）の上にセットして蓋として一体化したデザインとし、下の空洞の容器を小物入れとして活用することにより花を単なる飾りとしてだけでなく小物入れとしての実用性をもたせたことを特徴とするお花のいろいろプレゼントボックス
【考案の詳細な説明】
【技術分野】
【０００１】本考案はフラワーアレンジを小物入れの蓋として作った、小物入れに関する技術である。
【背景技術】
【０００２】フラワーアレンジは従来深めの容器に活けられ（多様なデザインや日持ちしない花にも一定の寿命をあたえるため）花が枯れるまでの４日〜１０日程度の短い期間観賞用として楽しむものであった。
花の部分を造花や涸れない加工のプリザーブドフラワーにして長い期間楽しめるようにしても観賞用としての用途しかなかった。
写真たてや時計にするというアイディアは実行されてきたが花以外の資材がとても値段が高く気軽に買えるものは少なかった。
【考案の概要】
【考案が解決しようとする課題】
【０００５】フラワーアレンジは重くてかさばる割には「飾る用途しかない」「枯れてしまうまでの期間が短く楽しめる期間が短いのでお得感がない」「食べ物と違って花にそれほど興味のない人がもらうともてあましてしまう」といったことからせっかくの綺麗な花であってもプレゼントに使うのに躊躇されることが多い。
【課題を解決するための手段】
【０００６】花を活ける容器を従来より薄くして軽くし、それがぴったりはまる容器にのせて蓋とした。その載せる下にくる容器は、花の資材屋にある仕入れが容易で安価なカゴのようなもので、中身が空洞になっているので、中にお菓子や小物などを入れる容器として活用できる。
上のフラワーアレンジとイメージがピタリとあうきれいなカゴや容器を使ってつくればフラワーアレンジの美しさはそのままに下の容器は花以外のものをいれる容器として活用できる。またあらかじめ下の容器にお菓子や小物などを入れて贈ると花にそれほど興味のない人からも喜ばれる。小物入れとして意匠性が高くフラワーアレンジとして実用性があり仕入れの手間やコストも少なくて済む商品の完成である。従来より薄型の容器に活けることで花の部分のボリュームは減るが下の容器をフラワーアレンジにぴったりのきれいなものを選べば容器と花が一体化した見た目となるので従来のフラワーアレンジと比べても遜色ないボリューム感をだすことができる。
【考案の効果】
【０００７】上述のように本考案のお花のいろいろプレゼントボックスはお花の美しさを楽しむことはもちろん好きな小物を入れて長い間楽しむことができる。フラワーアレンジメントの部分は枯れてしまえばその役目を果たしている蓋の部分を廃棄して蓋のない小物入れにすればよいし、また蓋の部分を造花やプリザーブドフラワーにすればそのまま蓋のある小物入れとして活用できる。意匠性の高い小物入れであり、実用性のあるフラワーアレンジである。また、あらかじめ下の容器にお菓子や小物を入れて贈りものとするのもよい。
【図面の簡単な説明】
【０００８】
【図１】本考案のお花のいろいろプレゼントボックスの実用例を示す平面図である
【図２】ボックスの使用例である
【考案を実施するための形態】
【０００９】蓋となるフラワーアレンジは鉢の受け皿のような浅いものを使いそこに背の低いデザインで花をいけます。その受け皿のサイズは花資材共通の規格なのでそれがぴったり蓋になるようなカゴのような容器を花の資材やで入手します。カゴにもいろいろなデザインがあるので蓋となるアレンジと一体感があり長く見ていても綺麗と思われるものを選定します。そのカゴ容器に先に記述したフラワーアレンジを蓋として配置します。外観は全体としてカゴもふくめて一つのフラワーデザインとなり、カゴの中は空洞なので小物やお菓子などがはいります。
サイズとしては直径２０ｃｍ弱深さ２０ｃｍ強のカゴを用い蓋となる部分はその直径より２センチほど小さいものに高さ１０センチ程度のやや平面的なデザインのフラワーアレンジを作成するのがバランスとして好ましい
【実施例】
【００１０】以下添付図面に沿って実施例を示します。５号サイズの鉢の受け皿にオアシスをセットして下をセロハンで防水してから花をいけました。
資材やで選定したカゴはメインとなる花材の色がアクセントとして使用されています。カゴと受け皿の間にやや隙間ができるので花資材としてラッピングなどに使用する不織布ペーパーなどを受け皿にきれいにまいてカゴに蓋としてぴったりのサイズに調整したうえでセットしました。
かわいらしいお花でしたのでカゴの中には女の子が喜びそうなヘアピンや手鏡やハンカチを付属するプレゼントとしていれました。
【産業上の利用可能性】
【００１１】  軽くて宅配用の箱に入るサイズなので知り合いや家族に贈る贈り物として手軽に利用できます。【００１２】  花に興味の薄い人でも自分の好きな小物と一緒にもらうことでよい印象の贈り物となり得ます。
【符号の説明】
【００１３】１  フラワーアレンジ
２  カゴまたは中が空洞の容器
３  付属のプレゼント
【図１】
0003232859.tif 000003
【図２】
0003232859.tif 000004
【手続補正書】
【提出日】令和3年3月18日(2021.3.18)
【手続補正１】
【補正対象書類名】実用新案登録請求の範囲
【補正対象項目名】請求項１
【補正方法】変更
【補正の内容】
【請求項１】
フラワーアレンジメントを鉢花の受け皿のような高さ２ｃｍから３ｃｍの容器に作成しそれを中が空洞な容器の上にセットしてフラワーアレンジ自体を容器の蓋としてデザインし、下の空洞の容器を小物入れとして活用することにより花を単なる飾りとしてだけでなく小物入れとしての実用性をもたせたことを特徴とするお花のいろいろプレゼントボックス。
(57)【要約】      （修正有）【課題】嵩張らず動きやすいベスト型腹巻効果付のインナーニットを提供する。【解決手段】インナーニット本体２は横編み機で編まれたニット製品である。糸は洗濯機で洗えるものを使用し、メリヤス編みされ、上下端部３、４、５は着脱しやすいようゴム編みされている。ウエスト部に備えた腹巻き６は６センチほどゴム編みで絞り胴体にフィットさせ、腹巻きの効果を備えるとともに、デザイン性も兼ねている。インナーとして使用するため、上端部３は普通のセーターに比べ開口部を大きくしている。【選択図】図１
0003232890.tif 000002
【実用新案登録請求の範囲】
【請求項１】
ウエスト部分に腹巻きを備えたことを特徴とするニット製下着。
【考案の詳細な説明】
【記述分野】
【０００１】  本考案はウエスト部分に腹巻効果を備えたニット製の下着に関するものである。
【背景技術】
【０００２】  コロナ感染症の流行により、常時換気のため冬でも窓を開放しなければならず、従来のように室温が保てず寒い。
【考案の概要】
【考案が解決しようとする課題】
【０００３】  換気のため窓を開放していると、室内が寒く体調を崩しやすくなる。園児、生徒にとっては寒くて学習に集中できないという弊害もある。また上に生地の厚いアウターを羽織ると、重く邪魔になる。腹巻効果を備えたベスト型ニットを下着と上着（トレーナーなど）の間に１枚着用することで、嵩張らず活動しやすくなる。
【課題を解決するための手段】
【０００４】  上記課題を解決するために、本考案は腹巻とニットを一体型とした。これによって上半身全体を１枚で保温することを可能とした。またベスト型とすることで腕の動きを妨げず、動きやすくした。ニット製であることにより保温性、伸縮性に富み、アウターに比べ軽く、体への負担も少ない。
【考案の効果】
【０００５】  本考案は、腹巻のみの着用に比べ格段に暖かく、嵩張らず、動きやすい。教室でのアウターの着用は任意のため、子どもの場合には着用の判断が難しく、寒くても着用しないという懸念がある。本考案を着用していれば、アウターを着用しなくても防寒対策を図ることが可能である。
【図面の簡単な説明】
【０００６】
【図１】本考案のベスト型腹巻効果付インナーニットの実施例を示す正面図である。
【図２】本考案の腹巻効果付インナーニットの実施例を示す背面図である。
【考案を実施するための形態】
【０００７】  以下、本考案の実施の形態であるベスト型腹巻効果付インナーニットの一例について、図面に基づいて説明する。
図１に示すように、本体１は横編み機で編まれたニット製品である。糸は洗濯機で洗えるものを使用している。２はメリヤス編みされ、上下端部３、４、５は着脱しやすいようゴム編みされている。６は６センチほどゴム編みで絞り胴体にフィットさせ（サイズにより大きさは変動する。）、腹巻きの効果を備えるとともに、デザイン性も兼ねている。インナーとして使用するため、３は普通のセーターに比べ開口部を大きくしている。
【０００８】  上記形態は本考案の原理およびその概念を例示するための具体的な実施の形態として記載したにすぎない。本考案は上記実施の形態に限定されるものではない。本考案は、例えば次のように変更した態様で具体化することも可能である。
・糸の素材やデザイン、サイズについては上記は一例である。他の素材やサイズのベスト型腹巻効果付インナーニットに適用することが可能である。
・ニットを形成するための手法は一例である。ベスト型腹巻効果付インナーニットを編む手法は種々の手法を使用することが可能である。
本考案は上述した実施の形態に記載の構成に限定されない。上述した実施の形態や変更例の構成要素は任意に選択して組み合わせて構成できる。また実施の形態や変更例の任意の構成要素と、課題を解決するための手段に記載の任意の構成要素を具体化した構成要素とは任意に組み合わせて構成できる。これらについても本願の補正または特許出願への変更等において権利取得する意思を有する。
【符号の説明】
【０００９】    １…ベスト型腹巻効果付インナーニット
２…本体
３、４、５…上下端部
６…腹巻
【図１】
0003232890.tif 000003
【図２】
0003232890.tif 000004
(57)【要約】      （修正有）【課題】ハンマー頭部からの入力が「力学的エネルギー保存の法則」に従い、安全・能率的に杭打ち作業ができる金属パイプとＴ型ボルトを固定した手動杭打ち器を提供する。【解決手段】内側パイプ２の片端をＴ型ボルト軸部３の首下座面部６でうけ固定し杭打ち器のハンマー頭部とし、外側パイプ８の内径に組込み外側パイプ８・内側パイプ２・Ｔ型ボルト軸部３の３個を固定するときＴ型ボルト頭頂部７のライン７Ｕ・７Ｌが、外側パイプ８の内径部にあるように固定し、Ｔ型ボルト頭頂部７を打撃面とする。【選択図】図３
0003232887.tif 000002
【実用新案登録請求の範囲】
【請求項１】
金属パイプ内径にＴ型ボルト軸部を挿入しＴ型ボルトの首下座面で金属パイプの片側端部を受け、そのＴ型ボルトと金属パイプを固定したハンマー頭部。
【請求項２】
請求項１に記載するハンマー頭部を別の金属パイプの内径の中に挿入し固定した手動力杭打ち器。
【考案の詳細な説明】
【技術分野】
【０００１】  本考案はパイプの内部にＴ型ボルトを固定させハンマー頭部とした手動力杭打ち器に関するものである。
【背景技術】
【０００２】  農園などでの支柱杭の杭打ち器はパイプの頭頂部を溶接や機械加工などでふさぎその面を打撃面とし、支柱杭の頭頂部へ打撃力を伝えている方式で杭打ち器の重心は支柱杭頭頂部の打撃面より天空方向になく地面方向にあり、支柱杭の打込みの時支柱杭が弓なりになり効率が悪い、できるだけ「力学的エネルギー保存の法則」を有効に使えることが望ましい、またハンマーのみの作業では片方の手で支え打ち外しがあったりし難作業で安全性・能率性も劣るし斜めに打込まれやすく美的景観も悪い。
【先行技術文献】
【０００３】
【特許文献】
【特許文献】特開２０１１−８４８７４  詳細な説明
【特許文献】特開平１１−２９３６７３  詳細な説明
【非特許文献】
【非特許文献】ミナト電気工業  製品カタログＰＤ−５０
【非特許文献】株式会社シンセイ  製品カタログＳＨ−６００
【考案の概要】
【考案が解決しようとする課題】
【０００４】  農園作業等において、支柱杭の打込み作業は支柱杭の頭頂部へハンマーで力を加えるがハンマーの頭部が人力のため不安定な弧を描いたり、長尺物の支柱杭は斜めに打撃しがちなため支柱杭頭頂部への打撃力が伝わりにくいため「力学的エネルギー保存の法則」にしたがった工夫が必要になる。【０００５】  ここで打撃力とその力の伝わり方について考えてみる。パチンコ玉を十数個を一列に綺麗に並べ一個をこの列の右側から衝突させると列の左側の一個が飛び出す、右から二個衝突させれば左側の二個が飛び出す、この物理現象は「力学的エネルギー保存の法則」で、十数個の一列のパチンコ玉を支柱杭とみなし一個または二個のパチンコ玉のほうをハンマー頭部とみなし支柱杭の打込み作業時、杭打ち器の重心がハンマー頭部打撃面より地面方向でなく天空方向になるように作製する。
【課題を解決するための手段】
【０００６】  釣り竿のつなぎ目のように外側パイプと内側パイプを用い内側パイプの外径寸法に近い頭部を持つＴ型ボルトの軸部を、内側パイプの内径の中へ入れＴ型ボルトの首下座面部で内側パイプを受け、Ｔボルト軸部と内側パイプをタッピングネジなどで固定しハンマー頭部とする。
外側パイプの内径の中へハンマー頭部を入れて外側パイプとハンマー頭部をタッピングネジなどで固定し杭打ち器とする、また、外側パイプは補強材であり支柱杭の傾き防止のガイドとなり、作業者の握り手にもなる。
このように組み立てることにより杭打ち器の重心はハンマー頭部打撃面より天空方向になり段落番号［０００５］で述べた物理現象が取り込まれる
【考案の効果】
【０００７】  杭打ち作業のとき内側パイプの重量と、Ｔ型ボルトの重量が加算された重量で支柱杭の頭頂部に入力される打撃力を「力学的エネルギー保存の法則」としている。
Ｔ型ボルト・外側パイプ・内側パイプを組み合わせタッピングネジなどで固定するので溶接や特別機械加工した部品は不要で経済的で組み立ても簡単。
Ｔ型ボルトは六角ボルトで代用でき、また、外側パイプは軽量にすることができ杭打ち器の総重量が軽減。
外側パイプ・内側パイプ・六角ボルは市販品で小型軽量から大型重量の物まで選択肢は広く製作出来る。
【図面の簡単な説明】
【０００８】
【図１】本考案の平面図
【図２】本考案の正面図
【図３】
0003232887.tif 000003
【考案を実施するための形態】
【０００９】  段落番号［０００５］述べたように、パチンコ玉行列の物理現象を鑑み、十数個の玉列を杭とみなし、右側から力を加える玉をハンマー頭部、十数個の玉列の杭を左側から飛び出す玉の力で杭が地面へ入るとみなす。杭打ちの時の上下運動はパチンコ玉の物理現象と同じにするためには杭打ち器全体の重心がＴ型ボルト頭頂部より天空の方向にする必要があり、その分岐点は図３の７Ｕ・７ＬのＴ型ボルト頭頂部７のラインとなる。ハンマー頭部の重量が外側パイプの重量を超えるような７Ｕ・７Ｌラインでハンマー頭部を固定し、外側パイプは軽量にすることで杭打ち器全体の重心は天空方向に出来る。
【実施例】
【００１０】  添付図面に従って、外側パイプ８は軽量にし、内側パイプ２の肉厚は厚く重量のあるパイプを使用する。
Ｔ型ボルト首下座面部６の外径は内側パイプ２の外径とほぼ一致させ、内側パイプ２の片側端部をＴ型ボルト首下座面部６で受け、内側パイプ２・Ｔ型ボルト軸部３をタッピングネジ４で固定しＴ型ボルト頭頂部７を打撃面とし、ハンマー頭部とする。
次に内側パイプ２とＴ型ボルト軸部３をタッピングネジ４で組み立てたハンマー頭部を外側パイプ８の内径に差し込んで外側パイプ８・内側パイプ２・Ｔ型ボルト軸部３をタッピングネジ５で固定し杭打ち器とする。
内側パイプ開口部１よりナットを用いてＴ型ボルト軸部３に金属部品を接続すれば容易にハンマー頭部の重量を増すことができる。
【符号の説明】
【００１１】  １    内側パイプ開口部
２    内側パイプ
３    Ｔ型ボルト軸部
４    内側パイプタッピングネジ
５    外側パイプタッピングネジ
６    Ｔ型ボルト首下座面部
７    Ｔ型ボルト頭頂部
７Ｕ  Ｔ型ボルト頭頂部より内側パイプ開口部側
７Ｌ  Ｔ型ボルト頭頂部より外側パイプ開口部側
８    外側パイプ
９    外側パイプ開口部
【図１】
0003232887.tif 000004
【図２】
0003232887.tif 000005
【図３】
0003232887.tif 000006
(57)【要約】      （修正有）【課題】一人生活の人が他の人の手を借りずに一人で背中に薬剤布をシワにならずに貼ることが出来る自力用背部薬剤布貼シートを提供する。【解決手段】シート１の表面、裏面とも滑り止めの為ザラザラしたものにし、表面には、少なくとも背骨３・肩甲骨４・腋窩５・骨盤６等の上半身の背部の人体骨格図２が描かれ自分自身の貼りたい位置に薬剤布の薬剤面を上に向けてシート１の上に置き、人体骨格図２に描かれている腋窩５と骨盤６に対して自分は横向きになって自分の腋窩と骨盤を合わせ、上向きになる様に寝返りをすると薬剤布が自分の背中に貼れる。これにより他の人の手を借りずに自力で薬剤布を上手に貼ることが出来る。【選択図】図１
0003232886.tif 000002
【実用新案登録請求の範囲】
【請求項１】
シートには表面と裏面があり、裏面は床、敷物等からシートがずれない様に全体がザラザラしており、表面は薬剤布がずれない様にザラザラしており、人体の上半身の背部の骨格図が描かれてあり、人体骨格図には少なくても背骨、肩甲骨、腋窩、骨盤の位置が描かれており、自分自身が薬剤布を貼りたい位置に薬剤面が上になる様にシートの上に置き、自分は骨格図に描かれている腋窩、骨盤の位置に自分の腋窩、骨盤を横向きになって合わせ背中がシートに着く様に上向きに寝返りすると薬剤布が自分の背中に貼り付き、他の人の手を借りずに自力で薬剤布を上手に貼ることが出来、折りたたんで持ち運びも出来る便利な自力用背部薬剤布貼りシート。
【考案の詳細な説明】
【技術分野】
【０００１】本考案は、人に頼らずに一人で背中に薬剤布を貼ることが出来るシートである。
【背景技術】
【０００２】一人生活の人が多く背中に薬剤布を貼ろうとしても、シワが生じ、効果的に一人で綺麗に貼る事ができない人が多かった。
【先行技術文献】
【特許文献】
【０００３】
【特許文献１】特開２０１６−４３２３４号  公報
【特許文献２】実登３２２７９５５号  公報
【考案の概要】
【考案が解決しようとする課題】
【０００４】一人生活をしている人が背中に薬剤布を貼るのに手が届かず、シワシワになってしまうのを防ぎ、一人でも上手に貼れる様にする。
【課題を解決するための手段】
【０００５】シートには表面と裏面があり、裏面は床、敷物からシートがずれない様に全体がザラザラしており、表面は薬剤布がずれない様にザラザラしており、人体の上半身背部の骨格図が描かれてあり、人体骨格図には少なくても背骨、肩甲骨、腋窩、骨盤の位置が描かれており、自分自身で薬剤布を貼りたい位置に薬剤面を上になる様にシートの上に置き、自分は骨格図に描かれている腋窩、骨盤の位置に自分の腋窩、骨盤を横向きになって合わせ、背中がシートに着く様に上向きに寝返えると薬剤布がシワシワにならずに自分の背中に貼り付き、他の人の手を借りずに自力で薬剤布を上手に貼ることが出来、折りたたんで持ち運びも出来る便利な自力用背部薬剤布貼りシート。
【考案の効果】
【０００６】以上の様に他の人の手を借りずに一人で薬剤布を効果的に貼ることが出来る。
【図面の簡単な説明】
【０００７】
【図１】  本考案のシートである。
【図２】  シートに薬剤布を置いた状態を示す図である。
【図３】  薬剤布を貼るときの体の位置を示す図である。
【図４】  体を寝返りした状態を示す図である。
【考案を実施するための形態】
【０００８】本考案のシートの材質はナイロン系が好ましく、裏面は床や敷物等からシートがずれない様に全体がザラザラしており、表面は薬剤布がずれない様にザラザラしているので、補助用の粘着テープを使用しなくても腕が挙がり難い人や腕が後ろに回り難い人でも、寝返りが出来る人であれば誰でも簡単に使用することが出来る。
【０００９】シートの表面には人体骨格図が印刷されている。シートの大きさは、Ｌは縦８７ｃｍ×横７０ｃｍ位、Ｍは縦７７ｃｍ×横６０ｃｍ位、Ｓは縦７０ｃｍ×横６０ｃｍ位である。
【００１０】薬剤布は、湿布や使い捨てカイロが使用出来る。
【実施例】
【００１１】以下、添付図面に従って一実施例を説明する。１は本考案のシートである。２は人体背部の骨格図である。３は人体骨格図の背骨である。４は人体骨格図の肩甲骨である。５は人体骨格図の腋窩である。６は人体骨格図の骨盤である。７は薬剤布である。【００１２】シートを表面の人体骨格図が見える様に広げて床などに置き、自分自身で薬剤布を貼りたい位置に薬剤面が上になる様にシートの上に置き、自分は骨格図に描かれている腋窩、骨盤の位置に、自分の腋窩、骨盤を横向きになって合わせ背中がシートに着く様に上向きに寝返りをすると薬剤布がシワシワにならずに自分の背中に貼り付く。
【符号の説明】
【００１３】１  シート
２  人体背部の骨格図
３  人体骨格図の背骨
４  人体骨格図の肩甲骨
５  人体骨格図の腋窩
６  人体骨格図の骨盤
７  薬剤布
【図１】
0003232886.tif 000003
【図２】
0003232886.tif 000004
【図３】
0003232886.tif 000005
【図４】
0003232886.tif 000006
(57)【要約】      （修正有）【課題】５指に固定容易であり、食器やシンク等の汚れを選択容易に落とすことができる三角スポンジたわしを提供する。【解決手段】三角スポンジたわしは、三角柱を成すウレタンスポンジ本体１の２つの斜面にウレタンスポンジ本体１とは硬度が異なる硬質スポンジ２を接合させ、ウレタンスポンジ本体１の残りの１面は半球状の突起３を有し、この半球状の突起３は千鳥状に配置されている。【選択図】図１
0003232861.tif 000002
【実用新案登録請求の範囲】
【請求項１】
食器などの洗浄のために使用するスポンジたわしであって三角形状をなし、スポンジたわし本体三角片の２面に異質なる材料を連通させ残１面は球状突起を有しその球状突起は千鳥状に配置された、三角スポンジたわし。
【請求項２】
請求項１に記載するスポンジたわしが有する三角片の２面に連通される異質なる材料は、三角形を形成するスポンジたわし本体を形成する材料よりも高硬度材料である。
【請求項３】
請求項１に記載するスポンジたわしが有する三角片の２面に連通される異質なる材料は、三角形を形成するスポンジたわし本体を形成する材料よりも低硬度材料である。
【請求項４】
請求項１に記載するスポンジたわしが有する三角片の２面に連通される異質なる材料は、針状突起を有する。
【考案の詳細な説明】
【技術分野】
【０００１】本考案は、食器やシンク等の汚れを落とす洗浄用スポンジたわしに関する。
【背景技術】
【０００２】従来、スポンジたわしは、長方立方体形状のものが知られている。
この長方立方体形状は手指で支える際、該たわしの弾性によって変形させつつ支持し作業を行っている、また該タワシは平面を選択的に洗浄する構造を持っていない。
【先行技術文献】
【実用新案文献】
【０００３】実用新案登録第３１９０３２６
【考案の概要】
【考案が解決しようとする課題】
【０００４】従来スポンジたわしにより食器などを洗浄する際手指でスポンジたわしを変形し、よって支持しながら食器やシンク等の狭い範囲の汚れに対してスポンジたわしを接触させて食器やシンク等の汚れを落としていたが、このスポンジたわしの変形保持作業によってスポンジたわしの弾性が経年変化し該スポンジたわしの寿命を低減していた。また除去対象たる汚れの軟硬に対する構造をもっていなかった。
【課題を解決するための手段】
【０００５】三角形状は、容易に５指で支持でき、従って洗浄作業時に余分な力を必要とせず、また、汚れの軟硬に対して三角形状の使用面を変更する事により対応できる。
【考案の効果】
【０００６】本考案は上記考案が解決しようとする課題に鑑みなされたもので、容易に５指により支持でき、従って洗浄作業時に余分な力を必要とせず従って該スポンの変形は少なく、長寿命を実現する。また汚れの軟硬に対して三角形状の使用面を変更する事により効率よく汚れを除去できる。
【図面の簡単な説明】
【０００７】
【図１】  本発明の正面図
【図２】  本発明の底面図
【図３】  本発明の側面図
【考案を実施するための形態】
【０００８】本考案による三角スポンジたわしは適度な厚みを持つ三角柱構造を有す、
図１は正面図であり図１三角形本体▲１▼の左右２面に▲２▼なる三角形本体▲１▼とは硬度が異なる材料が面通している。また図３はその底面図であり▲３▼なる球状突起が配置されている。
【実施例】
【０００９】本考案の構造は図１に示すように三角であるため親指と他の指とを開いて支えた時にその三角の二辺に容易に合致する、そのため長期間使用しても三角スポンジたわしの劣化、変形が少ない。この時底辺となる面はもちろん使用者が選択し汚れ除去面に対応した最適な面を対象物に当てることができる。
【図１】
0003232861.tif 000003
【図２】
0003232861.tif 000004
【図３】
0003232861.tif 000005
【手続補正書】
【提出日】令和3年3月19日(2021.3.19)
【手続補正１】
【補正対象書類名】実用新案登録請求の範囲
【補正対象項目名】全文
【補正方法】変更
【補正の内容】
【実用新案登録請求の範囲】
【請求項１】
食器などの洗浄のために使用するスポンジたわしであって三角形状をなし、スポンジたわし本体三角片の２面に硬度が異なる材料を接合させ残１面は球状突起を有しその球状突起は千鳥状に配置された、三角スポンジたわし。
【請求項２】
請求項１に記載するスポンジたわしが有する三角片の２面に接合される硬度が異なる材料は、三角形を形成するスポンジたわし本体を形成する材料よりも高硬度材料である。
【請求項３】
請求項１に記載するスポンジたわしが有する三角片の２面に接合される硬度が異なる材料は、三角形を形成するスポンジたわし本体を形成する材料よりも低硬度材料である。
【請求項４】
請求項１に記載するスポンジたわしが有する三角片の２面に接合される硬度が異なる材料は、針状突起を有する。
(57)【要約】      （修正有）【課題】マスクの呼吸中、息苦しさの緩和、飛沫、花粉、煤塵、細菌、ウィルス等の健康の支障となる事象より人体を保護し快適性を担保、または飛散防止を行う強制換気機能付マスクを提供する。 【解決手段】マスク内に動力で駆動する強制換気動力部４を備え、ウィルス以下の粒子を濾過する濾過部３を通して濾過した空気を送り、マスクの内側に外側よりの空気の流入を防止し飛沫、花粉、煤塵、細菌、ウィルス等の侵入を防ぐ手段を用い、また前記強制換気動力部を逆転することによりマスク外に飛沫、細菌、ウィルス等の飛散を防止する手段を用い課題を解決する。【選択図】図１
0003232870.tif 000002
【実用新案登録請求の範囲】
【請求項１】
換気動力部、濾過部を備えた強制換気機能付マスク
【請求項２】
換気動力部、濾過部、吐気排出部を備えた強制換気機能付マスク
【請求項３】
換気動力部、濾過部、吐気排出部、濾過済空気導入部、を備えた強制換気機能付マスク
【考案の詳細な説明】
【技術分野】
【０００１】
本考案はマスクがフィルタを通す際の空気抵抗による自発呼吸の息苦しさを解消しマスク内を送気することにより隙間より異物の侵入を防止する装置に関するものである。
【背景技術】
【０００２】
マスクは呼吸中、飛沫、花粉、煤塵、細菌、ウィルス等の健康の支障となる事象より人体を保護し快適性を担保、または飛散防止の為、装着されている。        
また、マスク本体のフィルター機能により、浮遊している花粉、煤塵、細菌、ウィルス等を濾過している。      
【考案の概要】
【考案が解決しようとする課題】
【０００３】
従来のマスクには、次のような解決すべき課題があった。       
１、 マスクと皮膚に隙間ができる為フィルタ通さない花粉、煤塵、細菌、ウィルス等を含んだ空気をその隙間より通していた。
2、フィルタを通しているため、そこを通る際の空気抵抗が自発呼吸を妨げていた。       
3、外気を直接吸入している為、花粉、煤塵、細菌、ウィルス等がマスクに多く付着していた。         
【課題を解決するための手段】
【０００４】
本考案は以上の点を解決するために、次のような構成を採用する。 
〈構成１〉    
1：電力により駆動するファンを動かし、マスクの内側に空気を送気、排気する構造とする。       
〈構成２〉    
2：前述（〈構成1〉1）に濾過装置(フィルタ)を付設する構造とする。
〈構成３〉    2、
3：装着するマスクは頭部の全て、または、一部を覆う構造のものである。
〈構成４〉
4：  5（濾過済空気導入部）は必要により省略することも想定している、また、（2：電源部）（3：濾過部）（4：フィルタ部）は一体構造となることも想定している。
〈構成５〉
ファンを逆回転させ吐気を濾過してマスク外に放出できる構造も想定している。
【考案の効果】
【０００５】
本考案の強制換気機能付マスクには次のような効果がある。       
〈具体例と具体例２の共通の効果〉   
１． 強制換気でマスク内に外気を導入する際はマスク内に送気されマスクの隙間より内気を
放出する為外気の侵入を防ぐ事が出来る。    
２．強制換気で呼吸時のマスクの空気抵抗による自発呼吸の息苦しさを解消できる。      
３．強制換気で呼吸時の吐気による熱気をより早くマスクの外に排出できる。      ４．フィルタを通す為、煤塵、細菌、ウィルス等を含んだ外気を濾過しマスク内に供給出来る。
５．強制換気でマスク内の吐気を排出させる際は濾過部を通す事により、細菌、ウィルス等を濾過した吐気を外部に放出することを減少する事が出来る。
【図面の簡単な説明】
【０００６】
【図１】頭部の一部を覆う強制換気機能付きマスクマスク
【図２】頭部の全部を覆う強制換気機能付きマスクマスク
【考案を実施するための形態】
【０００７】
以下、本考案を図の具体例を用いて説明する。    
図1、は1：マスク本体部（透明又は不透明の素材）2：電源部、3：濾過部4：強制換気動力部
6：濾過済空気噴出部7：マスク支持部（図２には無）8：吐気排出部、から構成される。
５：濾過済空気導入部、また、この図にはその他に人体頭部(点線部)が示されている。
図2は1：マスク部と2：排気部、3：密着補助部4：フィルタ部５：強制換気機器部、4：電源部、から構成される。又、排気部は頭部マスクの各所に取付できる。
【０００８】
以上の強制換気機能付マスクは次のような考案理由にて使用する。
図１、図2の（3）濾過部より4（強制換気機器部）により吸入された空気は5（濾過済空気導入部）を通り1（マスク本体部）に供給され８（吐気排出部）より排出される、またマスク周辺の隙間からも排出される、これはマスク内の圧力がマスク外の空気圧より僅かながら高いことによることを利用したものである。このことにより浮遊している花粉、煤塵、細菌、ウィルス等を含む外気がマスク内に入り込む事を防ぐ事が出来、体内に花粉、煤塵、細菌、ウィルス等を取り込む事を未然に防ぐ事が出来る。また、図1、図2のようにマスクの形態を変えることにより、外気の汚染の程度によることにも対応出来る。5（濾過済空気導入部）は必要により省略することも想定している、また、2：電源部3：濾過部4：フィルタ部は一体構造となることも想定している。これは各種部材の小型化により可能と考えられるからである。また、ファンを逆回転させると、ウィルス、細菌保持者の吐気を濾過してマスク外に放出できる。
【符号の説明】
【０００９】
１  マスク本体部
２  電源部
３  濾過部
４  強制換気動力部
５  濾過済空気導入部
６  濾過済空気マスク内放出部
７  マスク支持部
８  吐気マスク外排出部
【図１】
0003232870.tif 000003
【図２】
0003232870.tif 000004
(57)【要約】      （修正有）【課題】強度の大きい二重筋交い構造を提供する。【解決手段】二重筋交い構造１は、建物を構成する筋交い３、３’の構造であり、二重筋交い構造１の斜め交差部の中心部を固定する。これにより、地震、外乱振動、風水害その他の災害における振動に対応することができる。【選択図】図１
0003232879.tif 000002
【実用新案登録請求の範囲】
【請求項１】
建物を構成する二重筋交い構成の交差部の中心部を固定することを特徴とする二重筋交い構造。
【考案の詳細な説明】
【技術分野】
【０００１】    この考案は、建物を構成する筋交い構造に関するものである。
【背景技術】
【０００２】    建物に設ける、強度を補強する構造として、木材を斜めに配置する構成（筋交い）がある。これにより地震の際などに、建物を破壊から守る構成として有用である。因みに「阪神大震災」以前は戦後最悪といわれる１９４８年６月２８日発生の福井地震において、筋交いを入れた住宅の被害が小さいことが判明し、建築基準法に筋交いを入れるべき壁の大きさなどが規定された経緯がある。
【考案の概要】
【考案が解決しようとする課題】
【０００３】    この考案は、建物に設け、建物を構成する筋交い構造として、二重筋交い構造の中心部を固定することによって、強度の大きい筋交い建築構造を得ることを目的とするものである。
【課題を解決するための手段】
【０００４】    建物に設け、建物を構成する筋交い構造として、二重筋交い構造とし、その中心部を固定することによって、強度の大きい二重筋交い構造となる。
【考案の効果】
【０００５】    建物に設け、建物を構成する筋交い構造として、二重筋交い構造とし、その中心部を固定することによって、強度の大きい二重筋交い構造を得る。それってによく地震、外乱振動、風水害その他の災害における振動に対応することができる。
【図面の簡単な説明】
【０００６】
【図１】  この考案の二重筋交い構造の図である。
【考案を実施するための形態】
【０００７】
【実施例】
【０００８】    図１（ａ）は、この考案の二重筋交い構造１の正面図であって、図１（ｂ）は図１（ａ）のＡ−Ａ‘断面図である。二重筋交い構造１は木枠２の内部に斜めの筋交い３，３’を組み合わせ、その交差部（中央部）に固着部分４を設ける。固着部分４は螺子ｎの構成からなり、筋交い３，３’を締めつけている。それは図１（ｂ）の断面図に示すように筋交い３，３’の双方から中心方向に向かい固定する。図示では螺子ｎは三本であるが、一本でもよく、また適宜加減してもよい。５は壁下地板である。そして座屈に対す
0003232879.tif 000003
四倍となる。【０００９】
【産業上の利用可能性】
【００１０】  この考案は、建物を構成する二重筋交い構造として、その中心部を固定することによって、強度の大きい構造を得る。それは地震、外乱振動、風水害その他の災害における振動にも対応することができる。
【符号の説明】
【００１１】  １      二重筋交い構造
２      木枠
３，３’  筋交い
４      固着部分
５      壁下地板
ｎ      螺子
0003232879.tif 000004
【図１】
0003232879.tif 000005
(57)【要約】      （修正有）【課題】戒名と遺影写真とを関連付けて、供養が十分に満たされる遺影写真用額縁を提供する。【解決手段】遺影写真用額縁は、透明板と、裏板と、それらの周縁部を固定する枠部３とで構成され、透明板と裏板との間に遺影写真を挟み込むようにした遺影写真用額縁であって、枠部に、戒名表示部４と戒名の読み仮名表示部５とを設けた。【選択図】図１
0003232099.tif 000002
【実用新案登録請求の範囲】
【請求項１】
透明板と、裏板と、それらの周縁部を固定する枠部とで構成され、前記透明板と前記裏板との間に遺影写真を挟み込むようにした遺影写真用額縁であって、
前記枠部に、戒名表示部と前記戒名の読み仮名表示部とを設けたことを特徴とする遺影写真用額縁。
【考案の詳細な説明】
【技術分野】
【０００１】  本考案は、遺影写真用額縁に関する。
【背景技術】
【０００２】  先祖や故人の遺影写真を額縁に入れて、仏壇、部屋などに飾り、供養することは、従来から広く行われている。
【考案の概要】
【考案が解決しようとする課題】
【０００３】  しかしながら、従来の遺影写真用額縁は、遺影写真を額縁に入れただけであった。一方、故人の戒名は、位牌に記載されているが、遺影写真とは別々に置かれることが多く、供養や御霊の慰めを十分につくすことができず、また、戒名の読みも困難である場合がある。
本考案は、上記の問題を解決するためになされたもので、戒名と遺影写真とを関連付けて、供養が十分に満たされるようにすることを目的とする。
【課題を解決するための手段】
【０００４】  本考案に係る遺影写真用額縁は、透明板と、裏板と、それらの周縁部を固定する枠部とで構成され、透明板と裏板との間に遺影写真を挟み込むようにした遺影写真用額縁であって、枠部に、戒名表示部と戒名の読み仮名表示部とを設けたことを特徴とする。
【考案の効果】
【０００５】  本考案によれば、故人の遺影写真と、戒名が関連付けられ、戒名を正確に読むことができるため、故人の供養を十分満たすことが可能となる。
【図面の簡単な説明】
【０００６】
【図１】本考案に係る一実施例を示す図である。
【図２】図１の額縁のＡ−Ａ断面図である。
【実施例】
【０００７】  図１、図２において、遺影写真用額縁は、透明板１、裏板２、透明板１と裏板２の周縁部を固定する枠部３から構成される。遺影写真（図示せず）は、透明板１と裏板２との間に収納される。枠部３には、戒名表示部４と戒名の読み仮名表示部５とが遺影写真の両脇に配置されるように枠部３の左右の部分にそれぞれ設けられている。
上記の例では、戒名表示部４と戒名の読み仮名表示部５とが、枠部３の左右の部分にそれぞれ設けられているが、枠部３の上下の部分にそれぞれ設けるようにしても良く、枠部３の４辺のいずれかにそれぞれ適宜配置される。
戒名表示部４と戒名の読み仮名表示部５は、戒名、戒名の読み仮名が印刷されたシールを貼り付けるように構成する。シール以外に、戒名、戒名の読み仮名を枠部３に彫り込んだものとしても良い。また、戒名、戒名の読み仮名が彫り込まれた部材を枠部３に嵌め込み用に構成しても良い。
【産業上の利用可能性】
【０００８】  この遺影写真用額縁は、戒名を正確に読むことができ、故人の戒名を記憶に残して名残惜しむというような用途として使用される。
【符号の説明】
【０００９】１  透明板
２  裏板
３  枠部
４  戒名表示部
５  戒名の読み仮名表示部
【図１】
0003232099.tif 000003
【図２】
0003232099.tif 000004
(57)【要約】      （修正有）【課題】商品購入時に繰り返される問答を効率化するため、店員に意思を示すための意思表示用シールを提供する。【解決手段】平面幾何学形状の基材が第１面と第２面とを有し、第１面には意思表示のための文言が記載されており、第２面には易剥離性粘着剤が塗布されており、文言が、買い物の際に購入者が問われる質問への回答である。携行品に貼付して店員に示すことによって、商品購入時に繰り返される問答を効率化することができる。これにより、会計処理に要する時間を短縮することができるだけでなく、対人応答が苦手な人、外国人などの言語を習得途上の人でも、安心して買い物をすることができる。【選択図】図１
0003232093.tif 000002
【実用新案登録請求の範囲】
【請求項１】
平面幾何学形状の基材が第１面と第２面とを有し、
前記第１面には意思表示のための文言が記載されており、
前記第２面には易剥離性粘着剤が塗布されており、
前記文言が、買い物の際に購入者が問われる質問への回答である、
意思表示用シール。
【考案の詳細な説明】
【技術分野】
【０００１】
本考案は、携行品に貼付して買い物時に店員に示すことによって、応答を効率化するための意思表示用シールに関する。
【背景技術】
【０００２】
小売店で買い物をして支払いをする際、支払い方法、ポイントプログラムの利用の有無、袋の要否、駐車場利用の有無など、様々な応答が必要となる場合がある。これは一面では、利便性の提供であり、利用者に損をさせまいとする店員のホスピタリティでもある。一方、毎回そのような確認をされることを煩わしく感じる利用者もおり、ピークタイムには混雑を助長するという側面もある。
【０００３】
スーパーマーケットなどでは、袋が不要であることを示すためのカードが用意されている場合がある。利用者は、購入する商品と一緒にカードをかごに入れ、かごを受け取った店員が会計処理を行う。カードが入れられている場合には、店員が袋の要否を口頭で確認する必要がなく、応答を効率化することができる。
【０００４】
しかしながら、このような意思表示用カードは、すべての店舗で用意されているわけではない。また、意思表示の内容も、袋の要否程度に限られる。そのため、例えばポイントを貯める意思がない利用者は、依然として煩雑な問答を繰り返さなければならないのが現状である。
【０００５】
特許文献１には、店舗の各所に、割り箸、ストロー等の添付物品が必要か不要かを明示した意思表示媒体を設け、客が客の意思で弁当等の関連商品に意思表示媒体を取り付け、精算時に店員が意思表示媒体の有無を確認することが開示されている。しかしながら、このような媒体を設けていない店舗では、依然として煩雑な応答が必要となる。そのため、購入側が自身の方針に沿って意思表示を効率化するという観点において、改善の余地がある。
【先行技術文献】
【特許文献】
【０００６】
【特許文献１】特開２００７−７９５２２号公報
【考案の概要】
【考案が解決しようとする課題】
【０００７】
本考案は、商品購入時に繰り返される問答を効率化するため、店員に意思を示すための意思表示用シールを提供することを目的とする。
【課題を解決するための手段】
【０００８】
上記課題を解決するため、本考案は、平面幾何学形状の基材が第１面と第２面とを有し、第１面には意思表示のための文言が記載されており、第２面には易剥離性粘着剤が塗布されており、文言が、買い物の際に購入者が問われる質問への回答である、意思表示用シールを提供する。
【考案の効果】
【０００９】
本考案による意思表示用シールは、携行品に貼付して店員に示すことによって、商品購入時に繰り返される問答を効率化することができる。これにより、会計処理に要する時間を短縮することができるだけでなく、対人応答が苦手な人、外国人などの言語を習得途上の人でも、安心して買い物をすることができる。
【図面の簡単な説明】
【００１０】
【図１】本考案による意思表示用シールの平面図である。
【考案を実施するための形態】
【００１１】
本考案による意思表示用シールに用いる基材は、平面幾何学形状を有する。具体的には、四角形および六角形などの多角形、円形、楕円形、ハート型、漫画で台詞を表す吹き出し型、動物を図案化した形状などが挙げられる。なお、多角形については、正多角形に限定するものではない。また、辺は必ずしも直線でなくてもよく、頂点同士をなだらかな曲線でつないでもよい。また、頂点が必ずしも角をなさなくてもよく、すなわち、辺同士をなだらかな曲線でつないでもよい。
【００１２】
所望により、平面幾何学形状から突出した、つまみ部分を有してもよい。意思表示用シールを携行品から剥離する際には、この部分を優先的に剥離することによって、効率的に作業を行うことができる。あるいは、この部分には後述する易剥離性粘着剤を塗布しないことによって、意思表示用シールをさらに容易に剥離することが可能となる。
【００１３】
本考案による意思表示用シールは、貼付対象となる携行品に応じた寸法を有する。携行品の例としては、スマートフォン本体、スマートフォンケース、財布、カードケースなどが挙げられる。近年では支払手段として、現金やクレジットカードのほか、スマートフォンのアプリケーションやＩＣカードを用いた電子マネー決済が利用されている。そのため、支払い時に取り出すものという観点において、これらの物品は貼付対象として好ましい。あるいは、ＩＣカードに直接貼付した場合、当該ＩＣカードを見せることによって、支払いに用いる電子マネーの種類と、シールに記載された文言の内容とを、同時に示すことができる。
【００１４】
基材に用いる材料は、紙、布、プラスチックフィルムなど、任意の材料であってよい。所望により、基材に防水加工、防汚加工、抗菌加工などが施されてもよい。
【００１５】
易剥離性粘着剤とは、熱や薬剤等による処理をすることなく、手で容易に剥離することが可能であり、かつ剥離後に粘着力を失わない組成物を指す。また、剥離する際に粘着剤の一部が被着面に残ることがないように、十分に強い凝集性を有することが求められる。このような粘着剤は、一般に市販されている。
【００１６】
意思表示のための文言の記載は、例えば、基材に事前に印刷された状態でシールが提供されてもよい。あるいは、使用者が自ら記入するために、記入欄が設けられてもよい。
【００１７】
本考案の一実施形態では、意思表示のための文言として、「ポイントは不要です」と記載される。これは、買い物の際に店員が購入者に問う、「ポイントカードはお持ちですか」、および所有していない場合の「新しくお作りしますか」に対する回答である。このように記載された意思表示用シールを店員に見せることによって、会計処理時の問答を省略することができる。
【００１８】
本考案の別の実施形態では、意思表示のための文言として、「駐車券はありません」と記載される。これは、商品購入者に対して、駐車場料金を減額するまたは無料にするサービスを行っている店舗における、「駐車券はお持ちですか」に対する回答である。このように記載された意思表示用シールを店員に見せることによって、会計処理時の問答を省略することができる。
【００１９】
なお、本考案は上記の実施形態に限定されるものではなく、本考案の趣旨に基づいて種々変形させることが可能であり、それらを本考案の範囲から排除するものではない。
【図１】
0003232093.tif 000003